(57)【要約】【課題】この発明は、記録媒体に記録された複数のタイトルの中からプレイリストに登録するタイトルを選択するプレイリスト編集の作業を容易化し、実用的でユーザにとっての取り扱いを便利にし得るデータ再生装置及びデータ再生方法を提供することを目的としている。【解決手段】光ディスク１１またはハードディスク１３aに記録された複数のタイトルのうち、プレイリストに登録するタイトルを選択するための条件を設定する。また、プレイリストに登録するタイトルの数の上限値を設定する。その後、設定された条件に対応するタイトルを管理情報を参照して検索し、検索されたタイトルを上限値を越えない数だけプレイリストに登録する。【選択図】    図６
2004213713.tif 000002
【特許請求の範囲】
【請求項１】
複数のタイトルと、この複数のタイトルに対する管理情報とが記録された記録媒体を再生するデータ再生装置において、
前記記録媒体に記録された複数のタイトルのうち、プレイリストに登録するタイトルを選択するための条件を設定する条件設定手段と、
この条件設定手段で設定された条件に対応するタイトルを、前記管理情報を参照して検索する検索手段と、
この検索手段で検索されたタイトルをプレイリストに登録する登録手段とを具備してなることを特徴とするデータ再生装置。
【請求項２】
プレイリストに登録するタイトルの数の上限値を設定する上限値設定手段を具備し、
前記登録手段は、前記上限値設定手段で設定された上限値に基づいて、プレイリストに登録するタイトルの数を制限することを特徴とする請求項１記載のデータ再生装置。
【請求項３】
前記登録手段は、前記検索手段で検索されたタイトルを、記録された順序で前記上限値を越えない数だけ選択して、プレイリストに登録することを特徴とする請求項２記載のデータ再生装置。
【請求項４】
前記検索手段で検索されたタイトルのうち、プレイリスト再生時に最初に再生されるタイトルを設定するタイトル設定手段を具備し、
前記登録手段は、前記検索手段で検索されたタイトルを、前記タイトル設定手段で設定されたタイトルから、記録された順序で前記上限値を越えない数だけ選択して、プレイリストに登録することを特徴とする請求項２記載のデータ再生装置。
【請求項５】
前記条件設定手段は、タイトルが前記記録媒体に記録された日時を、プレイリストに登録するタイトルを選択するための条件として設定可能であることを特徴とする請求項１記載のデータ再生装置。
【請求項６】
前記条件設定手段は、タイトルが前記記録媒体に記録された曜日を、プレイリストに登録するタイトルを選択するための条件として設定可能であることを特徴とする請求項１記載のデータ再生装置。
【請求項７】
前記条件設定手段は、タイトルが前記記録媒体に記録された時刻を、プレイリストに登録するタイトルを選択するための条件として設定可能であることを特徴とする請求項１記載のデータ再生装置。
【請求項８】
前記条件設定手段は、タイトルの放送されたチャンネルを、プレイリストに登録するタイトルを選択するための条件として設定可能であることを特徴とする請求項１記載のデータ再生装置。
【請求項９】
前記条件設定手段は、タイトル名を、プレイリストに登録するタイトルを選択するための条件として設定可能であることを特徴とする請求項１記載のデータ再生装置。
【請求項１０】
前記条件設定手段は、タイトル毎にユーザの設定した任意の情報を、プレイリストに登録するタイトルを選択するための条件として設定可能であることを特徴とする請求項１記載のデータ再生装置。
【請求項１１】
複数のタイトルと、この複数のタイトルに対する管理情報とが記録された記録媒体を再生するデータ再生方法において、
前記記録媒体に記録された複数のタイトルのうち、プレイリストに登録するタイトルを選択するための条件を設定する工程と、
設定された条件に対応するタイトルを、前記管理情報を参照して検索する工程と、
検索されたタイトルをプレイリストに登録する工程とを有することを特徴とするデータ再生方法。
【請求項１２】
プレイリストに登録するタイトルの数の上限値を設定する工程と、
設定された上限値に基づいて、プレイリストに登録するタイトルの数を制限する工程とを有することを特徴とする請求項１１記載のデータ再生方法。
【請求項１３】
検索されたタイトルを、記録された順序で前記上限値を越えない数だけ選択して、プレイリストに登録することを特徴とする請求項１２記載のデータ再生方法。
【請求項１４】
検索されたタイトルのうち、プレイリスト再生時に最初に再生されるタイトルを設定する工程を有し、
検索されたタイトルを、設定されたタイトルから記録された順序で前記上限値を越えない数だけ選択して、プレイリストに登録することを特徴とする請求項１２記載のデータ再生方法。
【発明の詳細な説明】
【０００１】
【発明の属する技術分野】
この発明は、例えばＤＶＤ（Digital Versatile Disk）等の記録媒体から記録データを読み取って再生するデータ再生装置及びデータ再生方法に係り、特にそのプレイリスト編集の作業を容易化したものに関する。
【０００２】
【従来の技術】
周知のように、首記の如きデータ再生装置にあっては、光ディスクに記録されている複数のタイトルのうち、予め設定されたタイトルを所定の順序で自動再生する、いわゆるプレイリスト再生の機能が搭載されている。
【０００３】
このプレイリスト再生を行なう場合には、光ディスクに記録されている複数のタイトルの中から、プレイリストに登録するタイトルを選択するという、プレイリスト編集の作業が必要となる。
【０００４】
このプレイリスト編集の作業には、光ディスクを再生して各タイトルの内容を把握しながら必要なタイトルの選択を行なう手法と、個々のタイトルの管理情報を参照しながら必要なタイトルの選択を行なう手法とがある。
【０００５】
要するに、プレイリスト編集を行なう場合には、光ディスクに記録されているタイトルを再生する作業、または、タイトルの管理情報を参照する作業が必要となっている。
【０００６】
しかしながら、このようなプレイリスト編集の作業では、光ディスクに記録されたタイトルの数が多くなると、必要なタイトルを選択する作業が煩雑になり、ユーザにとって取り扱いが不便なものになるという問題が生じる。
【０００７】
そして、このようにタイトルの選択作業が煩雑になると、選択すべきタイトルを見落として、必要なタイトルがプレイリストに登録されなくなるという不都合も発生する。
【０００８】
なお、特許文献１として提示した特開２００１−１６７５５９号公報には、記録時刻情報と表示開始時刻情報との差分値を識別情報とするビデオオブジェクトの情報付加方法であって、時間情報の削除による影響を受けずにビデオオブジェクトを特定することができるようにした構成が開示されている。
【０００９】
また、特許文献２として提示した特開２００２−１５０７５０号公報には、記録予約に関する情報と、この情報が有効か無効かを示す情報とに基づいて、予約記録動作を制御するようにした構成が開示されている。
【００１０】
さらに、特許文献３として提示した特開２００２−８４４９５号公報には、記録媒体に記録されたビデオストリームの元の管理情報を、ユーザが入力した編集情報に基づいて新たな管理情報に変更するようにした構成が開示されている。
【００１１】
しかしながら、これらの特許文献１〜３には、いずれも、光ディスクに記録された複数のタイトルの中から、プレイリストに登録するタイトルを選択する作業を容易化することについては、何らの記載もなされていないものである。
【００１２】
【特許文献１】
特開２００１−１６７５５９号公報
【００１３】
【特許文献２】
特開２００２−１５０７５０号公報
【００１４】
【特許文献３】
特開２００２−８４４９５号公報
【００１５】
【発明が解決しようとする課題】
そこで、この発明は上記事情を考慮してなされたもので、記録媒体に記録された複数のタイトルの中からプレイリストに登録するタイトルを選択するプレイリスト編集の作業を容易化し、実用的でユーザにとっての取り扱いを便利にし得るデータ再生装置及びデータ再生方法を提供することを目的とする。
【００１６】
【課題を解決するための手段】
この発明に係るデータ再生装置は、複数のタイトルと、この複数のタイトルに対する管理情報とが記録された記録媒体を再生するものを対象としている。そして、記録媒体に記録された複数のタイトルのうち、プレイリストに登録するタイトルを選択するための条件を設定する条件設定手段と、この条件設定手段で設定された条件に対応するタイトルを、管理情報を参照して検索する検索手段と、この検索手段で検索されたタイトルをプレイリストに登録する登録手段とを備えるようにしたものである。
【００１７】
また、この発明に係るデータ再生方法は、複数のタイトルと、この複数のタイトルに対する管理情報とが記録された記録媒体を再生する方法を対象としている。そして、記録媒体に記録された複数のタイトルのうち、プレイリストに登録するタイトルを選択するための条件を設定する工程と、設定された条件に対応するタイトルを、管理情報を参照して検索する工程と、検索されたタイトルをプレイリストに登録する工程とを有するようにしたものである。
【００１８】
上記のような構成及び方法によれば、プレイリストに登録するタイトルを選択するための条件を設定し、この条件に対応するタイトルをプレイリストに登録するタイトルとして自動的に選択するようにしたので、記録媒体に記録された複数のタイトルの中からプレイリストに登録するタイトルを選択するプレイリスト編集の作業を容易化し、実用的でユーザにとっての取り扱いを便利にすることが可能となる。
【００１９】
【発明の実施の形態】
以下、この発明の実施の形態について、図面を参照して詳細に説明する。図１は、この実施の形態で説明するデータ記録再生装置を示している。このデータ記録再生装置は、記録媒体としてＤＶＤ−ＲＡＭ（Random Access Memory）とハードディスクとの両方を取り扱うことができるものとしているが、記録媒体としては、例えば半導体メモリ等を用いることも可能である。
【００２０】
すなわち、図１に示すデータ記録再生装置は、大きく分けると、図中左側に記録側の主なブロックが存在し、図中右側に再生側の主なブロックが存在し、図中下部に制御側の主なブロックが存在している。
【００２１】
そして、このデータ記録再生装置は、２種類のディスクドライブ部を有する。まず、ビデオファイルを構築できる情報記録媒体である第1のメディアとしての光ディスク１１を回転駆動し、情報の読み書きを実行するディスクドライブ部１２を有する。また、このデータ記録再生装置は、第２のメディアとしてのハードディスク１３ａを駆動するハードディスクドライブ部１３を有する。
【００２２】
データプロセッサ部１４は、ディスクドライブ部１２及びハードディスクドライブ部１３に記録データを供給することができ、また、再生された信号を受け取ることができる。ディスクドライブ部１２は、光ディスク１１に対する回転制御系、レーザ駆動系、光学系等を有する。データプロセッサ部１４は、記録または再生単位のデータを取り扱うもので、バッファ回路、変調・復調回路、エラー訂正部等を含んでいる。
【００２３】
また、このデータ記録再生装置は、記録側を構成するエンコーダ部１５と、再生側を構成するデコーダ部１６と、装置本体の動作を制御するマイクロコンピュータブロック１７とを、主たる構成要素としている。
【００２４】
エンコーダ部１５は、入力されたアナログビデオ信号及びアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００２５】
エンコーダ部１５の出力は、バッファメモリ１８を含むフォーマッタ１９にて所定のＤＶＤ−ＲＡＭのフォーマットに変換され、先のデータプロセッサ部１４に供給される。
【００２６】
エンコーダ部１５には、Ａ／Ｖ（Audio Video）入力部２０から得られる外部アナログビデオ信号と外部アナログオーディオ信号、または、ＴＶ（Television）チューナ部２１から得られるアナログビデオ信号とアナログオーディオ信号が入力される。
【００２７】
なお、エンコーダ部１５は、圧縮されたデジタルビデオ信号及びデジタルオーディオ信号が直接入力されるときは、この圧縮されたデジタルビデオ信号及びデジタルオーディオ信号を、直接フォーマッタ１９に供給することも可能である。また、エンコーダ部１５は、アナログデジタル変換されたデジタルビデオ信号及びオーディオ信号を、Ｖ（Video）ミクシング部２２及びオーディオセレクタ２３に直接供給することもできる。
【００２８】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。デジタルオーディオ信号は、ＭＰＥＧまたはＡＣ（Audio Compression）−３規格に基づいて、固定ビットレートで圧縮されたデジタルオーディオ信号、または、リニアＰＣＭ（Pulse Code Modulation）のデジタルオーディオ信号に変換される。
【００２９】
副映像信号がＡ／Ｖ入力部２０から入力された場合（例えば副映像信号の独立出力端子付ＤＶＤビデオプレーヤからの信号等）、または、このようなデータ構成のＤＶＤビデオ信号が放送されそれがＴＶチューナ部２１で受信された場合は、ＤＶＤビデオ信号中の副映像信号が副映像エンコーダでエンコード（ランレングス符号化）されて副映像のビットマップとなる。
【００３０】
エンコードされたデジタルビデオ信号、デジタルオーディオ信号、副映像データは、フォーマッタ１９にてパック化され、ビデオパック、オーディオパック、副映像パックとなり、さらに、これらが集合されてＤＶＤ−レコーディング規格［例えばＤＶＤ−ＲＡＭ、ＤＶＤ−Ｒ（Recordable）、ＤＶＤ−ＲＷ（Rewritable）等に記録する規格］で規定されたフォーマットに変換される。
【００３１】
ここで、図１のデータ記録再生装置は、フォーマッタ１９でフォーマット化された情報（ビデオ、オーディオ、副映像データ等のパック）及び作成された管理情報を、データプロセッサ部１４を介してハードディスクドライブ部１３またはディスクドライブ部１２に供給し、ハードディスク１３ａまたは光ディスク１１に記録することができる。
【００３２】
また、ハードディスク１３ａまたは光ディスク１１に記録された情報を、データプロセッサ部１４及びディスクドライブ部１２を介して、光ディスク１１またはハードディスク１３ａに記録することもできる。
【００３３】
また、ハードディスク１３ａまたは光ディスク１１に記録されている複数番組のビデオオブジェクトを、一部削除したり、異なる番組のオブジェクトを繋げたり、といった編集処理を行なうこともできる。これは、この実施の形態で説明するフォーマットが、取り扱うデータ単位を定義し、編集を容易にしているからである。
【００３４】
マイクロコンピュータブロック１７は、ＭＰＵ（Micro Processing Unit）またはＣＰＵ（Central Processing Unit）と、制御プログラム等が書き込まれたＲＯＭ（Read Only Memory）と、プログラム実行に必要なワークエリアを提供するためのＲＡＭとを含んでいる。
【００３５】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Universal Disk Format）記録、ＡＶアドレス設定等を実行する。
【００３６】
また、マイクロコンピュータブロック１７は、システム全体を制御するために必要な情報処理部を有するもので、ワークＲＡＭ、ディレクトリ検知部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００３７】
ＭＰＵの実行結果のうち、ユーザに通知すべき内容は、データ記録再生装置の表示部２４に表示されるか、または、モニタディスプレイ２５にＯＳＤ（On Screen Display）表示される。また、マイクロコンピュータブロック１７は、この装置を操作するための操作信号を与えるキー入力部２６を有する。
【００３８】
なお、マイクロコンピュータブロック１７が、ディスクドライブ部１２、ハードディスクドライブ部１３、データプロセッサ部１４、エンコーダ部１５及びデコーダ部１６等を制御するタイミングは、ＳＴＣ（System Time Clock）２７からの時間データに基づいて規定することができる。記録や再生の動作は、通常、ＳＴＣ２７からのタイムクロックに同期して実行されるが、それ以外の処理はＳＴＣ２７からのタイムクロックとは独立したタイミングで実行されてもよい。
【００３９】
デコーダ部１６は、パック構造を持つＤＶＤフォーマットの信号から各パックを分離して取り出すセパレータと、パック分離及びその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするＡ（Audio）デコーダとを有する。また、デコードされた主映像にデコードされた副映像を適宜合成し、主映像に、メニュー、ハイライトボタン、字幕及びその他の副映像を重ねて出力するビデオプロセッサを備えている。
【００４０】
デコーダ部１６の出力ビデオ信号は、Ｖミクシング部２２に入力される。Ｖミクシング部２２では、テキストデータの合成が行なわれる。また、Ｖミクシング部２２には、ＴＶチューナ部２１またはＡ／Ｖ入力部２０からの信号を直接取り込むラインも接続されている。
【００４１】
Ｖミクシング部２２には、バッファとして用いるフレームメモリ部２８が接続されている。Ｖミクシング部２２の出力がアナログ出力の場合は、Ｉ／Ｆ（Interface）２９を介して外部に出力され、デジタル出力の場合は、デジタルアナログ変換器３０を介して外部のモニタディスプレイ２５に出力される。
【００４２】
デコーダ部１６の出力オーディオ信号は、セレクタ２３を介してデジタルアナログ変換器３１でアナログ変換され外部のスピーカ３２に出力される。セレクタ２３は、マイクロコンピュータブロック１７からのセレクト信号により制御される。これによりセレクタ２３は、ＴＶチューナ部２１またはＡ／Ｖ入力部２０からのデジタル信号を直接モニタする時、エンコーダ部１５をスルーした信号を直接選択することも可能である。
【００４３】
なお、エンコーダ部１５のフォーマッタ１９では、記録中、各切り分け情報を作成し、定期的にマイクロコンピュータブロック１７のＭＰＵに送る［ＧＯＰ（Group Of Picture）先頭割り込み時等の情報］。切り分け情報としては、ＶＯＢＵ（Video Object Unit）のパック数、ＶＯＢＵ先頭からのI（Intra）ピクチャのエンドアドレス、ＶＯＢＵの再生時間等がある。
【００４４】
同時に、アスペクト情報処理部からの情報を記録開始時にＭＰＵに送り、ＭＰＵはＶＯＢ（Video Object）ストリーム情報ＳＴＩを作成する。ここで、ＳＴＩは、解像度データ、アスペクトデータ等を保存し、再生時、各デコーダ部ではこの情報を元に初期設定が行なわれる。
【００４５】
また、このデータ記録再生装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）と称する。ＣＤＡサイズは、ＥＣＣ（エラー訂正コード）ブロック（１６セクタ）の倍数であり、ファイルシステムではこのＣＤＡ単位で記録を行なっている。
【００４６】
データプロセッサ部１４は、エンコーダ部１５のフォーマッタ１９からＶＯＢＵ単位のデータを受け取り、ＣＤＡ単位のデータをディスクドライブ部１２またはハードディスクドライブ部１３に供給している。また、マイクロコンピュータブロック１７のＭＰＵは、記録したデータを再生するために必要な管理情報を作成し、データ記録終了のコマンドを認識すると、作成した管理情報をデータプロセッサ部１４に送る。これにより、管理情報が光ディスク１１に記録される。
【００４７】
したがって、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１及びハードディスク１３ａから読み取った管理情報（ファイルシステム）を認識し、各ディスクの未記録エリアを認識し、データ上の記録エリアをデータプロセッサ部１４を介してディスクに設定している。
【００４８】
ここで、図２を使用して、リアルタイムＤＶＤの管理情報と、コンテンツであるビデオオブジェクトとの関係を簡単に説明する。
【００４９】
図２において、まず、ビデオオブジェクトＶＯＢについて説明する。このＶＯＢは、ディレクトリではＶＲ＿ＭＯＶＩＥ．ＶＲＯファイルと称される。ビデオファイルは階層構造となっており、１つのファイルは１つまたは複数のＶＯＢで構成され、１つのＶＯＢは１つまたは複数のビデオオブジェクトユニットＶＯＢＵで構成され、１つのＶＯＢＵは複数のパックから構成される。複数のパックとしては、ＲＤＩパック、Ｖ（ビデオ）パック、Ａ（オーディオ）パック、ＳＰ（副映像）パック等が存在する。
【００５０】
ＲＤＩパックは、ユニット制御情報パック、ナビゲーション情報パック、またはリアルタイムデータ情報パックＲＤＩ＿ＰＣＫと称される。このパックは、これが属するＶＯＢＵの最初のフィールドが再生される開始時間を示す情報、当該ＶＯＢＵの記録時を示す情報、製造者情報ＭＮＦＩ等を含んでいる。また、ディスプレイ制御情報ＤＣＩ及びコピーコントロール情報ＣＣＩを含んでいる。ディスプレイ制御情報は、アスペクト比情報、サブタイトルモード情報、フィルムカメラモード情報を示している。コピーコントロール情報は、コピー許可情報またはコピー禁止（非許可）情報を含んでいる。
【００５１】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭ、ＭＰＥＧまたはＡＣ−３等の方式で処理されたもので、パックヘッダ、パケットヘッダ、オーディオデータ部で構成される。
【００５２】
管理情報はビデオマネージャＶＭＧと称され、その中にデータ再生順序を管理するプログラムチェーンＰＧＣが定義されている。このプログラムチェーンＰＧＣには、セル（Cell）が定義されている。セル（Cell）は、再生すべき対象となるビデオオブジェクトＶＯＢに関する情報であるビデオオブジェクト情報ＶＯＢＩとリンクしている。
【００５３】
ＰＧＣの具体的情報を記録している部分がプログラムチェーン情報ＰＧＣＩである。ＰＧＣＩには２種類が存在し、１つはオリジナルＰＧＣＩ（ＯＲＧ＿ＰＧＣＩ）で、もう１つはユーザデファインドプログラムチェーン情報（ＵＤ＿ＰＧＣＩである。
【００５４】
通常、記録時にはオリジナルＰＧＣが作成される。ユーザデファインドＰＧＣＩは、それ自身のビデオオブジェクトを持たず、図２に示すように、オリジナルＰＧＣのビデオオブジェクト情報ＶＯＢＩに対してリンクしているユーザデファインドセルＵＤ＿Cellを編集（削除、追加）することでプレイリストとして作成される。
【００５５】
ＶＯＢＩ内にはタイムマップＴＭＡＰが記述されており、このＴＭＡＰはＶＯＢＩに対応するＶＯＢを構成しているＶＯＢＵを指定する。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００５６】
次に、管理情報の中のプログラムチェーン情報ＰＧＣＩの階層を説明する。先に述べたように、プログラムチェーン情報には、オリジナルプログラムチェーン情報ＯＲＧ＿ＰＧＣＩとユーザデファインドプログラムチェーン情報テーブルＵＤ＿ＰＧＣＩＴとの２つのタイプがある。
【００５７】
ＯＲＧ＿ＰＧＣＩは、データ記録再生装置により、オリジナルプログラムが記録されるときに自動的に作成される管理情報であり、１ディスクに１種類が存在する。これに対し、ＵＤ＿ＰＧＣＩは、記録された複数のオリジナルプログラムの中の一部をユーザが任意に指定し、その再生順序を設定することにより作成されたプレイリストとしての管理情報である。このため、ＵＤ＿ＰＧＣＩは、複数個を設定することができる。
【００５８】
図３は、オリジナルプログラムチェーン情報ＯＲＧ＿ＰＧＣＩの階層構造を示している。オリジナルプログラムチェーン情報ＯＲＧ＿ＰＧＣＩは、プログラムチェーン一般情報ＰＧＣ＿ＧＩと、プログラム情報ＰＧＩと、セル情報サーチポインタＣＩ＿ＳＲＰと、セル情報ＣＩとを含んでいる。
【００５９】
ＰＧＣ＿ＧＩには、プログラムチェーンにより再生されるプログラムがいくつ存在するかを示すプログラム数ＰＧ＿Ｎｓ、セルサーチポインタがいくつ存在するかを示すセルサーチポインタ数ＣＩ＿ＳＲＰ＿Ｎｓが記述されている。図３の例では、プログラム情報ＰＧＩ ＃１からＰＧＩ ＃ｍまでが存在し、この１つ１つのＰＧＩがオリジナルタイトルであるプログラムに相当する。また、セルサーチポインタＣＩ＿ＳＲＰ ＃１からＣＩ＿ＳＲＰ ＃ｎが存在する。
【００６０】
プログラム情報ＰＧＩには、プログラムタイプＰＧ＿ＴＹと、このプログラムのセル数Ｃ＿Ｎｓと、このプログラムの代表画像情報ＲＥＰ＿ＰＩＣＴＩとが含まれる。代表画像情報ＲＥＰ＿ＰＩＣＴＩは、代表画像のセル番号、及びこのセルの中のピクチャポイントを記述している。
【００６１】
セルサーチポインタＣＩ＿ＳＲＰは、対応するセル情報ＣＩの記述アドレスを示している。セル情報ＣＩの記述内容を、ムービーセルの場合とスチルセルの場合とに分けて説明する。
【００６２】
まず、ムービーセルの場合、セル情報には、ムービーセル一般情報Ｍ＿Ｃ＿ＧＩと、ムービーセルエントリー情報Ｍ＿Ｃ＿ＥＰＩとが含まれる。ムービーセル一般情報Ｍ＿Ｃ＿ＧＩには、ムービーであるかスチルであるかを示すセルタイプＣ＿ＴＹと、このセルで特定されるＶＯＢを指し示すためのＭ＿ＶＯＢ＿ＳＲＰと、セルエントリーポイントがいくつあるかを示すセルエントリーポイント情報数Ｃ＿ＥＰＩ＿Ｎｓとが記述されている。
【００６３】
また、このセルに対応したビデオのスタートする時間を示すＣ＿Ｖ＿Ｓ＿ＰＴＭと、終了時間を示すＣ＿Ｖ＿Ｅ＿ＰＴＭとも記述される。また、上記ムービーセルエントリーポイント情報Ｍ＿Ｃ＿ＥＰＩとしては、エントリーポイントのタイプＥＰ＿ＴＹと、エントリーポイントのプレゼンテーションタイムＥＰ＿ＰＴＭとが記述されている。
【００６４】
スチルセルの場合、記述されている内容は、上記ムービーセルとほぼ同様である。ただし、スチルの場合、少なくとも１つ以上のＶＯＢを含むＶＯＢグループＶＯＧとセルとがリンクしているため、Ｓ＿ＶＯＧＩ＿ＳＲＰＮとして表わされる。また、プレゼンテーションタイムＰＴＭに代えて、このスチルセルに対応したＶＯＢグループＶＯＧの開始ＶＯＢ番号を示すＳ＿Ｓ＿ＶＯＢ＿ＥＮＴＮと、終了ＶＯＢ番号を示すＥ＿Ｓ＿ＶＯＢ＿ＥＮＴＮとが記述される。スチルセルエントリーポイント情報Ｓ＿Ｃ＿ＥＰＩにおいても、ＰＭＴに代えてスチルＶＯＢエントリー番号Ｓ＿ＶＯＢ＿ＥＮＴＮが記述される。
【００６５】
これに準じて、上記プログラムの代表画像情報ＲＥＰ＿ＰＩＣＴＩの記述においても、代表画像が存在するセルとしてムービーセルが指定された場合は、セルの中のピクチャポイントとしてＰＴＭが、スチルセルが指定された場合は、セルの中のピクチャポイントとしてスチルＶＯＢエントリー番号Ｓ＿ＶＯＢ＿ＥＮＴＮが記述される。
【００６６】
図４はユーザデファインドプログラム情報テーブルＵＤ＿ＰＧＣＩＴの階層構造を示している。ユーザデファインドプログラムチェーン情報テーブルＵＤ＿ＰＧＣＩＴには、ユーザデファインドプログラムチェーン情報テーブル情報ＵＤ＿ＰＧＣＩＴＩと、ユーザデファインドプログラムチェーン情報サーチポインタＵＤ＿ＰＧＣＩ＿ＳＲＰと、ユーザデファインドプログラムチェーン情報ＵＤ＿ＰＧＣＩとが含まれる。
【００６７】
ＵＤ＿ＰＧＣＩＴＩには、ユーザデファインドプログラムチェーン情報サーチポインタがいくつ存在するかを示すサーチポインタ数（図４には図示されていないが、ＵＤ＿ＰＧＣＩ＿ＳＲＰ＿Ｎｓと略記される）が記述されている。
【００６８】
ユーザデファインドプログラムチェーン情報サーチポインタＵＤ＿ＰＧＣＩ＿ＳＲＰは、対応するユーザデファインドプログラムチェーン情報ＵＤ＿ＰＧＣＩの記述アドレスを示している。図４に示した例では、ユーザデファインドプログラムチェーン情報ＵＤ＿ＰＧＣＩ ＃１からＵＤ＿ＰＧＣＩ ＃ｍまでが存在している。
【００６９】
なお、管理情報であるビデオマネージャＶＭＧの中では、プログラムチェーン情報とは別の場所にプレイリスト情報が記述されている。この１つ１つのプレイリスト情報の中で、当該プレイリストとリンクしているユーザデファインドプログラムチェーン情報サーチポインタＵＤ＿ＰＧＣＩ＿ＳＲＰの番号ＰＧＣＮが記述されている。このため、プログラムチェーン情報としては、１つ１つのＵＤ＿ＰＧＣＩがプレイリストに対応している。
【００７０】
このユーザデファインドプログラムチェーン情報ＵＤ＿ＰＧＣＩのフォーマットは、先に図３を使用して説明したオリジナルプログラムチェーン情報ＯＲＧ＿ＰＧＣＩとほぼ同様である。ただし、ＵＤ＿ＰＧＣＩは、オリジナルプログラムの任意の一部分を組み合わせて構成されるため、ＵＤ＿ＰＧＣＩには先に述べたプログラム情報ＰＧＩは存在しない。
【００７１】
このため、先に述べた、プログラムチェーン情報とは別の場所に記述されているプレイリスト情報の中に、プレイリストタイプＰＬ＿ＴＹと、プレイリストの代表画像情報ＲＥＰ＿ＰＩＣＴＩとが記述されている。したがって、この実施の形態では、このプレイリストタイプと、プレイリストの代表画像情報を使用することとなる。セル情報については、ＯＲＧ＿ＰＧＣＩと同様のフォーマットであるため、ここでは説明を省略する。
【００７２】
図５は、ＤＶＤ−ＶＲ（Video Recorder）規格におけるエントリーポイント情報の構造を示している。エントリーポイント情報には、図５（ａ）に示すTypeＡと図５（ｂ）に示すTypeＢとの２つの種類がある。TypeＡのエントリーポイントは、エントリーポイントのタイプを示すＥＰ＿ＴＹと、エントリーポイントが指すＰＴＭが記録されているＥＰ＿ＰＴＭとで構成されている。
【００７３】
TypeＢのエントリーポイントは、それに加えてプライマリテキスト情報ＰＲＭ＿ＴＸＴＩがある。ＰＲＭ＿ＴＸＴＩは１２８バイトで定義されており、ファーストフィールド６４バイトとセカンドフィールド６４バイトから構成される。ファーストフィールドにはＡＳＣＩＩ（American Standard Code for InformationInterchange）コードをセットし、セカンドフィールドにはＶＭＧＩ＿ＭＡＴ内で指定したキャラクターセットを用いて記述しなければならない。
【００７４】
ここで、図６はプレイリスト編集の動作をまとめたフローチャートを示している。まず、開始（ステップＳ１）されると、マイクロコンピュータブロック１７は、ステップＳ２で、光ディスク１１またはハードディスク１３ａに記録されている複数のタイトルの中から、プレイリストに登録する対象となるタイトルの条件指定をユーザから受ける。
【００７５】
次に、マイクロコンピュータブロック１７は、ステップＳ３で、上記の条件でプレイリストに登録するタイトルについて、その登録数の上限値を設定することが要求されたか否かを判別し、要求されたと判断された場合（ＹＥＳ）、ステップＳ４で、上限値の指定をユーザから受ける。
【００７６】
そして、ステップＳ４の後、または、ステップＳ３で上限値の設定が要求されないと判断された場合（ＮＯ）、マイクロコンピュータブロック１７は、ステップＳ５で、光ディスク１１またはハードディスク１３ａに記録されている複数のタイトルから、上記の条件に合致したタイトルを全て検索する。
【００７７】
その後、マイクロコンピュータブロック１７は、ステップＳ６で、処理の終了が要求されたか否かを判別し、要求されないと判断された場合（ＮＯ）、ステップＳ７で、リセットが要求されたとき、ステップＳ２の処理に移行される。
【００７８】
また、ステップＳ６で、処理の終了が要求されたと判断された場合（ＹＥＳ）、マイクロコンピュータブロック１７は、ステップＳ８で、先に検索されたタイトルを、上限値が設定されている場合はその上限値を越えないようにプレイリストに登録して、処理を終了（ステップＳ９）する。
【００７９】
ここで、プレイリストに登録するタイトルの条件としては、例えば、タイトルを記録した日時、曜日、記録開始時刻、受信チャンネル等を適宜に設定すれば、毎週同時刻に記録を行なったタイトル（例えば連続ドラマ等）が、プレイリストに登録するタイトルとして自動的に選択されることになり、プレイリスト編集の作業を容易化することが可能となる。
【００８０】
また、直接番組のタイトル名が得られる場合には、このタイトル名を選択の条件とすることができる。この番組のタイトル名としては、ＥＰＧ（Electronic Program Guide）から得た番組情報、ユーザが装置に入力したタイトル情報、ＸＤＳ及びテレテキスト情報に含まれるタイトル情報等が用いられる。
【００８１】
さらに、ＣＳ（Communication Satellite）放送のように専門チャンネルがある場合には、チャンネル情報を条件にしてもよい。この条件によれば、同じチャンネルで受信したタイトルを検索することができる。また、他のメディアからのコピー時（ＤＶＤ−ＲＡＭからハードディスク等）に得られた情報等も条件にすることができる。さらに、ユーザが任意に設定した情報を条件にすることも可能である。
【００８２】
図７は、プレイリストとして登録するタイトル数に上限値を設けた場合のプレイリスト編集動作を説明している。図７（ａ）において、プレイリスト編集の対象として選択するタイトルの数に上限値「４」が設定されている場合に、処理１に示すように、条件に合致する６つのタイトルが検索されたとする。
【００８３】
すると、マイクロコンピュータブロック１７は、処理２に示すように、時間的に最初に検索されたタイトル１（時間的に最初に記録されたタイトル）を先頭にして、検索された順（記録された順）に４つのタイトル１〜４をプレイリストに登録し、それ以外のタイトル５，６をプレイリストの対象から外すように制御する。
【００８４】
例えば、毎週同時刻に記録される連続番組等は、１クール毎に番組が変更されるため、その番組が記録されているタイトル数を設定することによって、次クールにて記録された番組まで同じプレイリストに登録されることを防止することができる。
【００８５】
また、図７（ｂ）において、プレイリスト編集の対象として選択するタイトルの数に上限値「５」が設定されている場合に、処理１に示すように、条件に合致する４つのタイトルが検索されたとする。この場合、検索された４つのタイトル１〜４を全てプレイリストに登録することもできるが、ユーザがプレイリスト再生時に最初に再生するタイトルを選択することもできる。
【００８６】
図７（ｂ）の処理１では、検索された４つのタイトル１〜４のうち、プレイリスト再生時に最初に再生するタイトルとして、時間的に２番目に検索されたタイトル２を選択した状態を示している。
【００８７】
この場合、マイクロコンピュータブロック１７は、処理２に示すように、選択されたタイトル２を先頭にして、検索された順に３つのタイトル２〜４をプレイリストに登録するように制御する。つまり、条件に合致していてもタイトル１は登録しないように制御される。
【００８８】
このように、検索された複数のタイトルのうち、プレイリスト再生時に最初に再生するタイトルをユーザが任意に選択できるようにすることにより、ユーザにとってプレイリストをより実用的なものとすることが可能となる。
【００８９】
なお、この発明は上記した実施の形態に限定されるものではなく、この外その要旨を逸脱しない範囲で種々変形して実施することができる。
【００９０】
【発明の効果】
以上詳述したようにこの発明によれば、記録媒体に記録された複数のタイトルの中からプレイリストに登録するタイトルを選択するプレイリスト編集の作業を容易化し、実用的でユーザにとっての取り扱いを便利にし得るデータ再生装置及びデータ再生方法を提供することができる。
【図面の簡単な説明】
【図１】この発明の実施の形態を示すもので、データ記録再生装置を説明するために示すブロック構成図。
【図２】同実施の形態におけるリアルタイムＤＶＤの管理情報とコンテンツであるビデオオブジェクトとの関係を説明するために示す図。
【図３】同実施の形態におけるオリジナルプログラムチェーン情報の階層構造を説明するために示す図。
【図４】同実施の形態におけるユーザデファインドプログラム情報テーブルの階層構造を説明するために示す図。
【図５】同実施の形態におけるＤＶＤ−ＶＲ規格のエントリーポイント情報の構造を説明するために示す図。
【図６】同実施の形態におけるプレイリスト編集の動作を説明するために示すフローチャート。
【図７】同実施の形態におけるタイトル数に上限値を設けた場合のプレイリスト編集動作を説明するために示す図。
【符号の説明】
１１…光ディスク、１２…ディスクドライブ部、１３…ハードディスクドライブ部、１４…データプロセッサ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナ部、２２…Ｖミクシング部、２３…セレクタ、２４…表示部、２５…モニタディスプレイ、２６…キー入力部、２７…ＳＴＣ、２８…フレームメモリ部、２９…Ｉ／Ｆ、３０，３１…デジタルアナログ変換器、３２…スピーカ。
【図１】
2004213713.tif 000003
【図２】
2004213713.tif 000004
【図３】
2004213713.tif 000005
【図４】
2004213713.tif 000006
【図５】
2004213713.tif 000007
【図６】
2004213713.tif 000008
【図７】
2004213713.tif 000009